(57)【要約】【課題】  リールの偏心回転を防止してリール間での不均一な回転を防ぐことが可能な構成を備えた遊技機を提供する。【解決手段】  リールＲ１は、回転中心部に駆動部材Ｍとの連結部Ｒ１Ｂが設けられ、連結部Ｒ１Ｂと外周部Ｒ１Ａとの間がスポーク部材Ｒ１Ｄにより連結された構成を備え、駆動部材Ｍとの連結部Ｒ１Ｂは、スポーク部材Ｒ１Ｄよりも肉厚の厚肉部とされ、厚肉部の中心には駆動部材Ｍに装備されている出力軸Ｍ１を支持する軸受け部材１００１が装填され、軸受け部材１００１は、駆動部材Ｍの出力軸Ｍ１を挿通する部分に加えて厚肉部内に埋設される軸方向長さＬ１を有し、厚肉部に埋設された部分の中心にネジ孔１００１Ａが形成され、ネジ孔には厚肉部の端面を軸受け部材１００１の端部とにより挟持した状態で締結する締結部材１００３が取り付けられることを特徴とする。【選択図】    図４
2005270209.tif 000002
【特許請求の範囲】
【請求項１】
複数種類の図柄を外周面に表示した回動可能なリールと、上記リールを回転駆動するための駆動部材とを備えた遊技機において、
上記リールは、回転中心部に上記駆動部材の連結部が設けられ、該連結部と外周部との間がスポーク部材により連結された構成を備え、
上記駆動部材の連結部は、上記スポーク部材よりも厚肉部とされ、該厚肉部の中心には上記駆動部材に装備されている出力軸を支持する軸受け部材が装填され、該軸受け部材は、上記駆動部材の出力軸の挿通部に加えて上記厚肉部内に埋設される軸方向長さを有し、該厚肉部に埋設された部分の中心にネジ孔が形成され、該ネジ孔には上記厚肉部の端面を上記軸受け部材の端部とにより挟持した状態で締結する締結部材が取り付けられることを特徴とする遊技機。
【請求項２】
請求項１記載の遊技機において、
上記軸受け部材は、上記厚肉部における上記締結部材が挿入される側と反対側に鍔部を有し、該鍔部と上記締結部材が挿入される側と反対側の厚肉部端部との間に回転位相検知用部材が挟み込まれてリールと一体化される構成であることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されているリールの回転支持機構に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、種々の図柄を表示したリールテープなどを外周面に貼り付けられたドラムが用いられ、ドラムはステッピングモータなどのデジタル制御が可能な駆動源によって駆動されるようになっている。
リールは、リールテープに表示されている図柄の位置を割り出し、遊技者による停止指令が出された際の抽選結果に応じて図柄の表示を設定することができるが、このための構成として、リールに設けてある基準位置表示部としての遮光部と、遮光部の通過を光学的に検知可能なフォトセンサとを組み合わせた構成がある。（例えば、特許文献１）
【０００４】
リールは、遊技者に対して図柄を明瞭に表示することが要求される部材である。
しかし、遊技機内の限られたスペースにおいて複数のリールを配置する場合に図柄表示に関する要求を満足させるには、並置されているリール間で駆動源であるステッピングモータの占有スペースを少なくすることが必要となる。
このための構成としては、リール外周部とリール中心部に位置するモータ軸挿通部であるボス部との間をスポーク部材で連結した構成を対象として、スポーク部のボス側を屈曲させてリール内方に位置させる形状とすることによりステッピングモータの一部、つまり、モータ軸がリールの内側空間内に位置決めされてステッピングモータとリールとが占有空間の一部を共用するようにした構成（例えば、特許文献２）、あるいはリールの内部をステッピングモータのロータ部とし、リールそのものをステッピングモータの一構造部品として用いるようにした構成がある（例えば、特許文献３）。
【０００５】
【特許文献１】特開２００２−２４８１９９号公報（段落「００３４」欄）
【特許文献２】特開２００２−６５９３９号公報（図２）
【特許文献３】特開２００１−２８６６２２号公報（請求項１）
【発明の開示】
【発明が解決しようとする課題】
【０００６】
リールと駆動源であるステッピングモータとの一体化は、モータ軸をリールに設けてあるボス部に挿通し、そのモータ軸の形状をＤ字状としたり、あるいは、特許文献２に開示されているように、軸端をネジを用いてリールと共締めする構成であるが、リールのボス部が薄肉化されている関係で軸支持部の長さも短くなりがちとなる。つまり、軸支持部への軸の嵌合深さが浅くなってしまう傾向となる。このため、嵌合深さが浅いことにより軸方向での支持長さも短くなってしまい、リールの荷重を受ける部分が少ないことが原因してリール自体の偏心回転が起きやすくなり、いわゆる、軸振れが起こりやすくなる。
特に、モータ軸には、リールだけでなくリールの回転位相を検知するために用いられるイニシャライザと称されるセクタ部材が同軸支持される場合もあり、これによってモータ軸に作用するリール側からの負荷が大きくなることも相俟って軸振れの発生が顕著となる虞がある。
リールの軸振れが発生すると各リール同士の回転状態が不均一となり、遊技者にとって目障りな印象を与える。
【０００７】
本発明の目的は、上記従来の遊技機、特にリールの回転支持機構における問題に鑑み、リールの偏心回転を防止してリール間での不均一な回転を防ぐことが可能な構成を備えた遊技機を提供することにある。
【課題を解決するための手段】
【０００８】
請求項１記載の発明は、複数種類の図柄を外周面に表示した回動可能なリールと、上記リールを回転駆動するための駆動部材とを備えた遊技機において、上記リールは、回転中心部に上記駆動部材の連結部が設けられ、該連結部と外周部との間がスポーク部材により連結された構成を備え、上記駆動部材の連結部は、上記スポーク部材よりも肉厚の厚肉部とされ、該厚肉部の中心には上記駆動部材に装備されている出力軸を支持する軸受け部材が装填され、該軸受け部材は、上記駆動部材の出力軸の挿通部に加えて上記厚肉部内に埋設される軸方向長さを有し、該厚肉部に埋設された部分の中心にネジ孔が形成され、該ネジ孔には上記厚肉部の端面を上記軸受け部材の端部とにより挟持した状態で締結する締結部材が取り付けられることを特徴としている。
【０００９】
請求項２記載の発明は、請求項１記載の発明に加えて、上記軸受け部材は、上記厚肉部における上記締結部材が挿入される側と反対側に鍔部を有し、該鍔部と上記締結部材が挿入される側と反対側の厚肉部端部との間に回転位相検知用部材が挟み込まれてリールと一体化される構成であることを特徴としている。
【発明の効果】
【００１０】
請求項１記載の発明によれば、成形されるリールの構成として回転中心部にスポーク部材よりも肉厚の厚肉部が設けられているので、リールの軽量化のために薄肉構造とした場合に発生する成形時のひけ現象を防止することができ、しかも、ひけ防止のために設けた部分を利用して駆動部材の出力軸を支持する軸受け部材を埋設しているので、軸受け部材が支持される部分の長さを長くすることにより軸振れを低減させることが可能となる。これにより、軸振れによるリール同士が不均一な回転を防止されることになる。
【００１１】
請求項２記載の発明によれば、リールの厚肉部に一部が埋設される軸受け部材はリールの端部との間に回転位相検知用部材を挟み込んだ場合でも、厚肉部に埋設される部分が長いことにより回転位相検知用部材の存在に拘わらず、軸振れを防止してリール同士の不均一な回転を防止することが可能となる。
【発明を実施するための最良の形態】
【００１２】
以下、図面に示す実施例による本発明を実施するための最良の形態について説明する。
【実施例】
【００１３】
本発明の対象である遊技機として、スロットマシンを対象としてその構成の概略を説明する。
【００１４】
図１は本スロットマシン１００の外部構造を表した平面図、図２は本スロットマシン１００の内部構造を表した平面図である。
【００１５】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００１６】
フロントドア１０１は、機械的に強固な硬質プラスチックで成形された上部パネル部１０３と中部パネル部１０４及び下部パネル部１０５とを備えて構成されている。
【００１７】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００１８】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００１９】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２０】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２１】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２２】
次に、図２を参照して、フロントドア１０１の裏面構造と、筐体１０２の内部構造を概説する。なお、図２はフロントドア１０１を開錠して筐体１０２から開いた状態を表している。
【００２３】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２４】
更に演出表示装置１０３ｄの裏面側には、電気回路基板で形成されたサブ制御基板３００が取り付けられている。
【００２５】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２６】
演出表示装置１０３ｄとサブ制御基板３００の下方には、上述の透過窓ＷＤと中部パネル部１０４のパネル面とが形成された略長方形の枠体１０４ｄが取り付けられている。
【００２７】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００２８】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００２９】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３０】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３１】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３２】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３３】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３４】
ただし、サブ制御基板３００と主制御基板７００は、夫々硬質プラスチックの保護ケース内に個別に収納されたユニット構造となっている。
【００３５】
以上のような構成を備えたスロットマシンにおいて回動リールＲ１，Ｒ２，Ｒ３の構成は、図３に示されている。
なお、図３においては一つの回動リールを対象として説明するが、他の回動リールも同じ構成であることを前置きしておく。
図３は、リールユニット装置２００に装備されている回動リールのうちの一つである回動リールＲ１の斜視図であり、同図において回動リールＲ１は、樹脂成型品が用いられ、方向に平行する外周部を構成する一対の外輪部Ｒ１Ａと、回転中心に位置する駆動部材であるステッピングモータＭの連結部Ｒ１Ｂとを備えており、軸方向に平行する外輪部Ｒ１Ａ間には周方向に沿って複数の横桟部材Ｒ１Ｃが設けられている。
外輪部Ｒ１Ａと連結部Ｒ１Ｂとは、径方向に延長されたスポーク部材Ｒ１Ｄがその延長方向両端を一体化されて連結されている。
駆動部材であるステッピングモータＭは、リールユニット装置２００の設置位置に設けてあるモータ取り付け板１０００に支持されている。
【００３６】
回動リールＲ１の回転中心側から外輪部Ｒ１Ａに向けて放射状に設けられているスポーク部材Ｒ１Ｄは、外輪部Ｒ１Ａとほぼ同じ厚さとされ、外輪部Ｒ１Ａと共に同一平坦面を構成している。
【００３７】
連結部Ｒ１Ｂは、図４および図５に示すように、スポーク部材Ｒ１Ｄよりも肉厚が厚くされた厚肉部で構成されてボスとして用いられるようになっている。
連結部Ｒ１Ｂには、その中心において軸方向一方側の端面から形成されたネジ挿通孔Ｒ１Ｂ１と、軸方向他方側から形成されてネジ挿通孔と同軸線上に位置する凹部Ｒ１Ｂ２とが設けられている。
凹部Ｒ１Ｂ２には、ステッピングモータＭの出力軸を支持するための軸受け部材１００１が装填されるようになっている。
【００３８】
軸受け部材１００１は、軸方向一方端側から形成されたネジ孔１００１Ａと軸方向他方側から形成された出力軸の挿通孔１００１Ｂとを備えており、外周面には、後述する寸法関係を規定された鍔部１００１Ｃが設けてある。
本実施例では、挿通孔１００１ＢがＤカット形状とされ、これに対応してステッピングモータＭの出力軸Ｍ１の外形もＤカット形状とされており、嵌め込まれた状態で連動できるようになっている。
【００３９】
軸受け部材１００１は、連結部Ｒ１Ｂを構成する厚肉部内にネジ孔１００１Ａが形成されている側を埋設させることができる軸方向長さ（Ｌ１）とを有している。
この軸方向長さ（Ｌ１）は、図６においてネジ孔１００Ａ１が形成されている端部から後述する回転位置検知用部材１００２の厚さを含めた鍔部１００１Ｃに至る長さであり、これに対して、挿通孔１００１Ａが形成されている端部からの軸方向長さ（Ｌ２）はステッピングモータＭの出力軸Ｍ１の軸長に相当している。
さらに軸受け部材１００１は、回動リールＲ１との連動関係を成立させるために、軸受け部材１００１と回動リールＲ１の連結部Ｒ１Ｂとの対向面に、係合構造が設けられており、その構造としては、回動リールＲ１からの端面に形成された突起Ｒ１Ｂ３が軸受け部材１００１側の端面に形成された係合凹部１００１Ｄに係合する構造とされている。
【００４０】
本実施例は以上のような構成であるから、回動リールＲ１が組み立てられる際には、図４に示すように、連結部Ｒ１Ｂの凹部Ｒ１Ｂ２の内部に軸受け部材１００１が装着される。
軸受け部材１００１の装着に際しては、軸受け部材１００１側の鍔部１００１Ｃとこれに対向する連結部Ｒ１Ｂの端面との間に回動リールＲ１の初期位置を検知するセクタ部材である回転位相検知用部材１００２を挟み込む。
軸受け部材１００１において挿通孔１００１ＢにステッピングモータＭの出力軸Ｍ１を挿入する。これにより、出力軸Ｍ１と軸受け部材１００１の挿通孔１００１Ｂとが形状の向きを一致させて嵌め込まれると出力軸Ｍ１の回転に連動して軸受け部材１００１が回転できる。
【００４１】
軸受け部材１００１における連結部Ｒ１Ｂに埋設されている部分は、回動リールＲ１における連結部Ｒ１Ｂの肉厚を利用してネジ孔１００１Ａが形成されている軸方向での部分が連結部Ｒ１Ｂに埋設された状態で支持されるようになっている。
つまり、連結部Ｒ１Ｂは、回動リールＲ１の外周部Ｒ１Ａに向けて樹脂を行き渡らせて、いわゆる、成形時でのひけ現象を回避するための樹脂溜まり部として機能する部分である。本実施例では、肉厚部を利用して軸受け部材１００１の専有部分を多くすることにより、軸受け部材１００１が支持される部分が少ない場合に発生する軸振れをなくすようになっている。
このように、連結部Ｒ１に一部が埋設された軸受け部材１００１は、連結部Ｒ１Ｂ側の突起Ｒ１Ｂ３と係合凹部１００１Ｄとを一致させて嵌合したうえで、軸方向一方に形成されているネジ孔１００１Ａに対して締結部材であるネジ１００３を締結することにより回動リールＲ１と一体化される。  
【００４２】
以上のような実施例によれば、回動リールＲ１の外周部Ｒ１Ａとスポーク部Ｒ１Ｃとがほぼ同じ肉厚で同一平坦面とされているので、途中に屈曲部がある場合と違って連結部Ｒ１Ｂからの樹脂の流動状態を円滑化することができ、所要の厚さを確保することができる。
【図面の簡単な説明】
【００４３】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられる回動リールの構成を説明するための斜視図である。
【図４】図３に示した回動リールの断面図である。
【図５】図３に示した回動リール本体の構成を説明するための部分的な断面図である。
【図６】軸受け部材の構成を説明するための断面図である。
【図７】駆動部材を示す図である。
【符号の説明】
【００４４】
１００            スロットマシン
１０００          モータ取り付け板
１００１          軸受け部材
１００１Ａ        ネジ孔
１００１Ｂ        駆動部材の出力軸挿通孔
１００１Ｃ        鍔部
１００２          回転位相検知用部材
１００３          締結部材
Ｒ１              回動リール
Ｒ１Ａ            外輪部
Ｒ１Ｂ            連結部
Ｒ１Ｂ１          ネジ挿通孔
Ｒ１Ｂ２          凹部
Ｌ１              連結部に軸受け部材が埋設される部分の軸方向長さ
Ｍ                ステッピングモータ
Ｍ１              出力軸  
【図１】
2005270209.tif 000003
【図２】
2005270209.tif 000004
【図３】
2005270209.tif 000005
【図４】
2005270209.tif 000006
【図５】
2005270209.tif 000007
【図６】
2005270209.tif 000008
【図７】
2005270209.tif 000009